(57)【要約】【課題】開口部を開閉する開閉体を投影画像表示用のスクリーンとして活用できるのみならず、その開閉体の表面における投影画面の大きさを任意に変化させることができる開閉装置によるディスプレイシステムを得ることにある。【解決手段】開口部を開閉する開閉体３の略フラットな表面を画像表示用のスクリーンとするディスプレイシステムであって、前記開口部の上部に連続施工または据え付けられて躯体から離れる方向へ前記開口部の上部から延出する延出構造物１０に、閉鎖位置の前記開閉体３に投影画像を照射するためのプロジェクタ２２を、その照射距離可変方向へ移動可能に設置したものである【選択図】図１
2007206350.tif 000002
【特許請求の範囲】
【請求項１】
開口部を開閉する表面略フラットな開閉体を画像表示用のスクリーンとするディスプレイシステムにおいて、
前記開口部の上部に連続施工または据え付けられて躯体から離れる方向へ前記開口部の上部から延出する延出構造物に、閉鎖位置の前記開閉体に投影画像を照射するためのプロジェクタを、その照射距離可変方向へ移動可能に設置したことを特徴とする開閉装置利用によるディスプレイシステム。
【請求項２】
延出構造物は、開口部の上部に据え付けられて使用時に前記躯体から離れる方向へ展開され、不使用時に巻き取られ及び／又は折り畳まれるオーニング装置からなり、このオーニング装置におけるキャンバス支持枠の先端枠部内側にプロジェクタが設置されていることを特徴とする請求項１記載の開閉装置利用によるディスプレイシステム。
【請求項３】
延出構造物は、躯体の開閉装置据え付け部の天井部からなり、この天井部の内部にプロジェクタが開閉体へ接近乃至離間する方向及び／又はその逆方向へ移動可能に配置されていることを特徴とする請求項１記載の開閉装置利用によるディスプレイシステム。
【請求項４】
プロジェクタは、開閉体のスクリーン領域に照射された投影画像の全体形状を補正するための画像補正機能を有していることを特徴とする請求項１から請求項３のうちのいずれか１項記載の開閉装置利用によるディスプレイシステム。
【発明の詳細な説明】
【技術分野】
【０００１】
この発明は、建物等の構築・構造物の開口部やショーウインド等を開閉する開閉装置を利用したディスプレイシステムに関するものである。
【背景技術】
【０００２】
近年の開閉装置、特にシャッターは、それ本来の開閉機能のほかに、周囲景観との調和媒体や広告媒体として利用することが多く、その手段として、シャッターにおける開閉体であるシャッターカーテンの表面に絵画や広告、宣伝等の塗装を施したり、それらの静止画が予め撮像等されたフィルムを貼着することは既に知られている。
【０００３】
なお、上記先行技術は当業者一般に知られた技術であって、文献公知発明に係るものではない。
【発明の開示】
【発明が解決しようとする課題】
【０００４】
従来のシャッターを周囲景観との調和媒体もしくは広告媒体とした構造では、シャッターカーテンの表面に塗装またはフィルム貼着による定常不変の静止画しか表示することができず、塗装の塗り替えやフィルムの張り替えを行わずに表示内容を変化・変更させることができないという課題があった。しかも、前述のような塗装やフィルム貼着による静止画は風雨等に晒されて劣化し易く、その劣化による剥がれが生じた際には前記静止画を更新しなければならず、その更新の都度、塗装の塗り替えやフィルムの張り替えを行わなければならず、その作業に多くの時間を費やすなど結果的にコスト高になるという課題があった。特に、前述のようにシャッターカーテンに一旦表示された静止画はその画面サイズを変化させることができないという課題があった。
【０００５】
この発明は上記のような課題を解決するためになされたもので、開口部を開閉する開閉体を投影画像表示用のスクリーンとして活用できるのみならず、その開閉体表面における投影画面の大きさを任意に変化させることができる開閉装置利用によるディスプレイシステムを得ることを目的とする。
【課題を解決するための手段】
【０００６】
この発明に係る開閉装置利用によるディスプレイシステムは、開口部を開閉する表面略フラットな開閉体を画像表示用のスクリーンとするディスプレイシステムであって、前記開口部の上部に連続施工または据え付けられて躯体から離れる方向へ前記開口部の上部から延出する延出構造物に、閉鎖位置の前記開閉体に投影画像を照射するためのプロジェクタを、その照射距離可変方向へ移動可能に設置したものである。
【発明の効果】
【０００７】
この発明によれば、延出構造物に配置されたプロジェクタから閉鎖時の開閉体に投影画像信号を照射することにより、前記開閉体の略フラットな表面に静止画や動画等の投影画像を表示させることができるので、既存の開閉体を投影画像表示用のスクリーンとして活用できるばかりではなく、前記プロジェクタを前記開閉体に対する接近乃至離間方向へ移動させることができるので、その移動により、前記開閉体に照射された投影画像の画面サイズを変化させることができるという効果がある。
【発明を実施するための最良の形態】
【０００８】
実施の形態１．
図１はこの発明の実施の形態１によるディスプレイシステムに適用するシャッター装置とオーニング装置との組合せ構造を一部断面して示す概略側面図、図２は図１中のオーニング装置の分解斜視図、図３はディスプレイシステムの概要構成図である。
図１に示すディスプレイシステムは、建物等の構築・構造物やショーウインドもしくはガレージ等の開口部を昇降開閉するシャッター装置（開閉装置）１と、このシャッター装置１が組み付けられた建物における天井側躯体Ｗの外壁部に据え付けられ日除けや雨除けや開口部の意匠等として開口面から張り出し使用する巻取り・折畳可能なオーニング装置（延出構造物）１０とを組み合わせて利用した構成となっており、その詳細を以下に順次説明する。
【０００９】
まず、前記シャッター装置１は、開口部の両側に配置された左右一対のガイドレール２と、このガイドレール２間を昇降開閉する表面略フラットな開閉体であるシャッターカーテン３（図１ではガイドレール２間から前方へ一部を抽出して破線で示す）と、前記ガイドレール２の上部に配置されたシャッターケース４と、このシャッターケース４内に配置されて前記シャッターカーテン３を巻き上げ・巻き戻しする巻取りドラム５と、この巻取りドラム５を回転駆動する開閉機（モータ、制御装置、ブレーキ等を含む）６とからなっている。
【００１０】
次に、前記オーニング装置１０は、図２に示すように、前記天井側躯体Ｗの外壁部に左右一対のブラケット１１，１２を介して回転自在に軸支された巻取りドラム１３と、この巻取りドラム１３を回転させる駆動手段１４と、前記巻取りドラム１３に巻装されたキャンバス１５と、前記各ブラケット１１，１２の基端が連結されて前記天井側躯体Ｗに接近・離間する方向へ屈伸可能な左右一対のアーム１６，１７と、これらのアーム１６，１７の先端に架設されたキャンバス保持枠（前枠）１８と、前記各ブラケット１１，１２の外側および前記巻取りドラム１３の上部を覆うカバー部材１９とからなり、前記キャンバス１５の繰り出し先端部を前記キャンバス保持枠１８に連結した構成となっている。
【００１１】
さらに詳しく説明すると、前記各アーム１６，１７は、それぞれの中途部にヒンジ部１６ａ，１７ａを有しており、これらのヒンジ部１６ａ，１７ａで前記キャンバス１５の下面に沿った方向へ屈伸するようになっている。また、前記各アーム１６，１７は、それぞれのヒンジ部１６ａ，１７ａにおいて当該アーム１６，１７のそれぞれを伸長方向に付勢するバネ部材（図示せず）を内蔵している。このようなアーム１６，１７は、前記キャンバス１５の最大伸展状態で前記ヒンジ部１６ａ，１７ａが相対方向へ所定の角度で屈曲した状態に保持され、これによって、前記巻取りドラム５によるキャンバス１５の巻き上げ時に前記アーム１６，１７がそれぞれのヒンジ部１６ａ，１７ａから相対方向に屈曲するようになっている。
【００１２】
この実施の形態１において、前記駆動手段１４は、人為的操作によって前記巻取りドラム１３を回転駆動する手動操作手段からなる構成としたが、その駆動手段１４は、スイッチ操作で起動・停止制御される開閉機に置き換えることも可能であり、この場合、その開閉機を前記巻取りドラム１３に内蔵させ、当該巻取りドラム１３の内部に一体的に配置された従動ギアと前記開閉機の出力ギアとを噛合させればよい。なお、図２において、２０は前記ブラケット１１，１２の取付強度を補強するために当該ブラケット１１，１２が取り付けられるベースプレート、２１は前記カバー部材１９の長手方向中途部を下側から支持するサポート部材であって、それらのベースプレート２０およびサポート部材２１はいずれも前記天井側躯体Ｗの外壁面に固着されるものである。
【００１３】
前述のように構成されたオーニング装置１０において、左右両側の屈伸可能なアーム１６，１７の先端に架設されたキャンバス保持枠１８の内側には、閉鎖位置のシャッターカーテン３の表面に静止画や動画等の投影画像を照射するプロジェクタ２２（図１参照）が配置されている。このプロジェクタ２２は、前記シャッターカーテン３の表面に照射された投影画像の全体形状を正規形状に補正するための画像補正機能を有している。このようなプロジェクタ２２は、図３に示すように、パソコン２３やビデオコーダ２４またはビデオプレーヤ２５等（その他に図示しないがＴＶチューナやカメラ等でもよい）の少なくとも１つから成る画像信号発信機器２６を備え、この画像信号発信機器２６から発信された画像情報信号を入力して当該入力画像情報信号に応じた画像を前記シャッターカーテン３の表面に照射するようになっている。
【００１４】
また、前記キャンバス保持枠１８の内側に配置されたプロジェクタ２２は、前記アーム１６，１７の屈伸可能動作によって前記シャッターカーテン３に接近乃至離間する方向へ移動可能となっている。さらに、前記画像信号発信機器２６は、図示しないスピーカー等の音声発生器（音声出力手段）に音声情報信号を出力する機能を有している。
【００１５】
ここで、前記キャンバス保持枠１８は、前記巻取りドラム１３によるキャンバス１５の巻き下げ限界位置（各アーム１６，１７の屈曲限界位置）で前記プロジェクタ２２を包み込み収納する断面形状とすることが好ましい。また、前記画像信号発信機器２６は前記シャッターケース４内など任意の収納部に配置し、その画像信号発信機器２６と前記プロジェクタ２２とを、前記各アーム１６，１７の中空内部に挿通して前記キャンバス保持枠１８の内側に沿わせた配線で接続するものとする。この場合、電源も前記各アーム１６，１７の中空内部に挿通して前記キャンバス保持枠１８の内側に沿わせた配線でプロジェクタ２２に接続すればよい。さらにプロジェクタ２２は、投影画像の照射角度を容易に調整できるようにキャンバス保持枠１８に対して取付角度を可変可能に取り付けてもよい。そして、前記プロジェクタ２２は、投影画像の照射時に音声を発生する音声発生機構（図示せず）が組み込まれた構成とすることが好ましい。
【００１６】
次に動作について説明する。
シャッター装置１の巻取りドラム５の巻き戻し動作で左右のガイドレール２間にシャッターカーテン３が接地位置まで繰り出され、かつ、オーニング装置１０の巻取りドラム１３の回転駆動によりキャンバス１５が使用位置に繰り出された図１の最大展開状態において、画像信号発信機器２６およびプロジェクタ２２を稼働させると、そのプロジェクタ２２から前記シャッターカーテン３の略フラットな表面に静止画や動画等の画像信号が照射されることにより、前記シャッターカーテン３の表面に投影画像が表示される。ここで、前述のようなキャンバス１５の最大展開状態では、前記プロジェクタ２２からの画像信号照射によって前記シャッターカーテン３に表示される投影画像の画面サイズは最大となる。
【００１７】
このような最大画面サイズの状態から前記巻取りドラム１３によりキャンバス１５を適度に巻き上げると、前記プロジェクタ２２がシャッターカーテン３に近づいて前記プロジェクタ２２からシャッターカーテン３までの照射距離が短くなることにより、その分、前記シャッターカーテン３の表面における投影画像の画面サイズが小さくなる。したがって、前記キャンバス１５の伸展度合いを調整することによって、前記シャッターカーテン３の表面における投影画像の画面サイズを任意に調整することができる。尚、このとき、シャッターカーテン３上においては、プロジェクタ２２からの投影画像の照射位置がずれる場合があるので、この場合は前記プロジェクタ２２の角度を変える等して当該プロジェクタ２２からの照射角度を適宜調整できるようにする。また、前記プロジェクタ２２は、シャッターカーテン３までの照射距離が変わった場合等に照射光の強さを調整できるようにしておくものとする。
【００１８】
以上説明した実施の形態１によれば、シャッター装置１とオーニング装置１０とを組合せ、前記オーニング装置１０のキャンバス１５の繰り出し先端部が連結されて当該キャンバス１５の繰り出し・巻き上げ方向に移動するキャンバス保持枠１８の内側にプロジェクタ２２を搭載し、このプロジェクタ２２から閉鎖位置のシャッターカーテン３の表面に画像信号を照射するように構成したので、前記シャッターカーテン３を前記プロジェクタ２２からの画像信号照射による投影画像のスクリーンとして活用できるのみならず、前記キャンバス１５の伸展度合いを調整することによって前記シャッターカーテン３の表面における投影画像の画面サイズを任意に調整することができるという効果がある。
【００１９】
また、前記プロジェクタ２２は、シャッターカーテン３の表面に照射された投影画像の全体形状を補正するための画像補正機能を有しているので、前記シャッターカーテン３に表示された投影画像の歪みや縦横比率の変化等を修正して正規形状の投影画像を表示することができるという効果がある。すなわち、延出構造物であるオーニング装置１０のキャンバス保持枠１８に保持されたプロジェクタ２２は、その照射方向がシャッターカーテン（開閉体）３に対して垂直でないため、シャッターカーテン３の表面に照射された投影画像が歪んだり縦横比率が変化したりするが、その歪みや縦横比率の変化を前記画像補正機能により修正して正規形状の投影画像を表示させることができるという効果がある。
【００２０】
さらに、前記プロジェクタ２２は、画像信号発信機器２６から画像情報信号を入力し、この入力画像情報信号に応じた画像をシャッターカーテン３の表面に照射投影するので、一般的な画像情報記憶媒体を用いて前記シャッターカーテン３の表示すべき投影画像の内容を容易に選択・変更することができるという効果がある。また、前記画像信号発信機器２６は、音声発生機器へ前記投影画像にマッチした音声情報信号を出力する機能を有しているので、開閉体であるシャッターカーテン３の表面に対して音声を伴う投影画像を表示させることができるという効果がある。
【００２１】
また、前述のようにキャンバス保持枠１８の内側に搭載されたプロジェクタ２２は、前記オーニング装置１０の巻取りドラム１３によるキャンバス１５の巻き上げ収納位置で前記キャンバス保持枠１８によって包み込み収納されるように構成したので、前記プロジェクタ２２が露出するようなことがなくなって当該プロジェクタ２２の盗難を防止することができるという効果がある。さらに、前記キャンバス保持枠１８の内側に搭載されたプロジェクタ２２はキャンバス１５によって太陽光から遮られるので、昼間でも前記シャッターカーテン３の表面に鮮明な投影画像を表示させることができる共に、前記プロジェクタ２２を雨水等からも保護できるという効果がある。さらには、前述のようにシャッター装置１のシャッターカーテン３とオーニング装置１０を利用したディスプレイシステムは、建物の軒などを増築する必要がなく、かつ、既存のシャッターカーテン３を投影画像表示用のスクリーンとして活用できると共に、既存のオーニング装置１０のキャンバス保持枠１８に前記プロジェクタ２２を配置することができるという効果がある。
【００２２】
実施の形態２．
図４はこの発明の実施の形態２によるディスプレイシステムを備えたシャッター装置を示す概略的な断面図、図５は図４中のプロジェクタを示す正面図、図６は図５の斜視図であり、図１から図３と同一または相当部分には同一符号を付して重複説明を省略する。
この実施の形態２では、シャッター装置１据え付け部の天井部を延出構造物Ｗ１として当該延出構造物Ｗ１の内部にプロジェクタ２２を配置し、このプロジェクタ２２を前記シャッター装置１に接近・離間する方向へ移動させることが可能な構成としたものである。この実施の形態２において、前記プロジェクタ２２はプロジェクタ本体２２ａに投影ミラー２２ｂを開閉可能に取り付け、かつ前記プロジェクタ２２ａの下面両側にコロ２７を軸支すると共に、前記延出構造物Ｗ１の内部には前記コロ２７を転動させるためのガイドレール２８を配置し、このガイドレール２８に沿って前記プロジェクタ２２を走行移動可能としたものである。
【００２３】
このように構成した実施の形態２においても、前記プロジェクタ２２をシャッター装置１のシャッターカーテン３に接近乃至離間する方向へ移動距離を調整することにより、前記実施の形態１の場合と同様に前記プロジェクタ２２からの投影画像信号の照射によるシャッターカーテン３表面における投影画像の画面サイズを任意に調整することができるという効果がある。また、前述のように延出構造物Ｗ１の内部にプロジェクタ２２を配置したことにより、そのプロジェクタ２２が太陽光や雨水等に晒させるようなこともなくなって前記シャッターカーテン３の表面に鮮明な投影画像を表示させることができると共に、前記プロジェクタ２２の盗難も防止できるという効果がある。
【００２４】
実施の形態３．
図７はこの発明の実施の形態３によるディスプレイシステムが備えるプロジェクタを示す正面図、図８は図７のプロジェクタを斜め上方から見た斜視図、図９は図７のプロジェクタを斜め下方から見た斜視図であり、図１から図６と同一または相当部分には同一符号を付して重複説明を省略する。
前記実施の形態２では、延出構造物Ｗ１内のガイドレール２８上にプロジェクタ２２を走行移動可能に支承させたが、この実施の形態３では、前記プロジェクタ２２を走行架台２９の下部に一体化し、この走行架台２９の下部両側にコロ２７を軸支し、このコロ２７を延出構造物Ｗ１内部のガイドレール２８上に走行可能に支承させたものである。
このような構成とした実施の形態３によれば、前記走行架台２９をボックス状に構成することで、その走行架台２９の内部に画像信号発信機器２６を収納配置することができるという効果がある。
【００２５】
ここで、前記走行架台２９とプロジェクタ２２は、首振り回転可能な接続構造にするなど、走行架台２９に対してプロジェクタ２２の角度を調節可能な構成としてもよい。この場合、シャッターカーテン３に対するプロジェクタ２２の照射角度を変えることができ、これにより、シャッターカーテン３の表面における投影画像の照射位置を適宜選択・変更・調節することができるという効果がある。
【００２６】
なお、前記実施の形態における開閉装置は、開閉体を巻取り・繰り出して開口部を開閉するタイプのシャッター、オーニング、ロールスクリーン、ブラインドなどの開閉装置でもよく、または、開閉体を巻き取ったり繰り出したりしないで開口部を開閉するタイプのシャッターや扉、引戸、オーバーヘッドドア、スライディングウォール、門扉などの開閉装置でもよい。また、開閉体は、スラット、シート、ネット、パネルなどのいずれによって構成されていてもよく、これらやその他の部材を組み合わせて構成されていてもよい。さらに、開閉体の開閉方向は、上下方向でも横方向でも斜め方向等いずれの方向としてもよい。
【図面の簡単な説明】
【００２７】
【図１】この発明の実施の形態１によるディスプレイシステムに適用するシャッター装置とオーニング装置との組合せ構造を一部断面して示す概略側面図である。
【図２】図１中のオーニング装置の分解斜視図である。
【図３】ディスプレイシステムの概要構成図である。
【図４】この発明の実施の形態２によるディスプレイシステムを備えたシャッター装置を示す概略的な断面図である。
【図５】図４中のプロジェクタを示す正面図である。
【図６】図５の斜視図である。
【図７】この発明の実施の形態３によるディスプレイシステムが備えるプロジェクタを示す正面図である。
【図８】図７のプロジェクタを斜め上方から見た斜視図である。
【図９】図７のプロジェクタを斜め下方から見た斜視図である。
【符号の説明】
【００２８】
１  シャッター装置（開閉装置）
２  ガイドレール
３  シャッターカーテン（開閉体）
４  シャッターケース
５  巻取りドラム
６  開閉機
１０  オーニング装置（延出構造物）
１１，１２  ブラケット
１３  巻取りドラム
１４  駆動手段
１５  キャンバス
１６，１７  アーム
１６ａ，１７ａ  ヒンジ部
１８  キャンバス保持枠
１９  カバー部材
２０  ベースプレート
２１  サポート部材
２２  プロジェクタ
２３  パソコン
２４  ビデオコーダ
２５  ビデオプレーヤ
２６  画像信号発信機器
２７  コロ
２８  ガイドレール
２９  走行架台
Ｗ    天井側躯体
Ｗ１  延出構造物
【図１】
2007206350.tif 000003
【図２】
2007206350.tif 000004
【図３】
2007206350.tif 000005
【図４】
2007206350.tif 000006
【図５】
2007206350.tif 000007
【図６】
2007206350.tif 000008
【図７】
2007206350.tif 000009
【図８】
2007206350.tif 000010
【図９】
2007206350.tif 000011